(57)【要約】【課題】出力コンタクト、例えば信号コンタクトも有する、差し込むべきハイブリッドコネクタの差込接続に関して、簡単で取り違えようなく且つコーディング可能な差込を保証する。【解決手段】コネクタボディの各々において差込側にスリット開口部が設けられており、このスリット開口部内に面状に構成されているコーディングエレメントが挿入されており、スリット開口部の両側には電気的なコンタクトのための別の開口部が配置されている。【選択図】図３
2008198613.tif 000002
【特許請求の範囲】
【請求項１】
２つのコネクタ（１，５）を取り違えようなく差し込むための電気的なコンタクトを有するコネクタボディ（１０，１０’）内のコーディング装置において、
前記コネクタボディ（１０，１０’）の各々において差込側にスリット開口部（１２）が設けられており、該スリット開口部（１２）内に面状に構成されているコーディングエレメント（２０，２０’）が挿入されており、前記スリット開口部（１２）の両側には電気的なコンタクト（２８，２９）のための別の開口部（２８’２９’）が配置されていることを特徴とする、コーディング装置。
【請求項２】
前記コーディングエレメント（２０，２０’）は係止フック（２４，２４’）を有し、該係止フック（２４，２４’）を用いて前記コーディングエレメント（２０，２０’）は前記コネクタボディ（１０，１０’）における前記スリット開口部（１２）内に保持されている、請求項１記載のコーディング装置。
【請求項３】
それぞれ２つのコーディングエレメント（２０，２０’）は差込側に相互に適合されたコーディング構造（２２，２２’）を有し、該コーディング構造（２２，２２’）は前記コネクタボディ（１０，１０’）の取り違えようのない噛合を保証する、請求項１記載のコーディング装置。
【請求項４】
前記コーディング構造（２２，２２’）は差込方向に関して、種々のヴァリエーションの垂直、水平、斜めおよび曲線状の部分を有する、請求項３記載のコーディング装置。
【請求項５】
前記コーディングエレメント（２０，２０’）の前記コーディング構造（２２，２２’）は前記コネクタボディ（１０，１０’）の差込側の前記スリット開口部（１２）から突出している、請求項４記載のコーディング装置。
【請求項６】
前記電気的なコンタクトは信号コンタクト（２９）および電流／電圧コンタクト（２８）として構成されている、請求項１記載のコーディング装置。
【発明の詳細な説明】
【技術分野】
【０００１】
本発明は、２つのコネクタを取り違えようなく差し込むための電気的なコンタクトを有するコネクタボディ内のコーディング装置に関する。
【０００２】
この種のコーディング装置は同種のコネクタのシステム内における誤差込を回避するために必要とされる。
【背景技術】
【０００３】
特許文献１からは、２つの相補型のコネクタ用のコーディング装置が公知であり、これらのコネクタの一方には少なくとも１つの第１のコーディングエレメントが設けられており、他方にはこの第１のコーディングエレメントに相補的な少なくとも１つの第２のコーディングエレメントが設けられており、コネクタのうちの少なくとも１つは少なくとも１つのコーディングエレメントが配置されている被せ合せ可能なカバーを備えたケーシングを有する。
【０００４】
公知のコーディング装置においては、このコーディング装置がコネクタタイプに関して事後的に構想されたものであり、したがって大抵の場合は補助的な解決手段となることは欠点である。
【特許文献１】DE 298 23 719 U1
【発明の開示】
【発明が解決しようとする課題】
【０００５】
本発明の課題は、出力コンタクト、例えば信号コンタクトも有する、差し込むべきハイブリッドコネクタの差込接続に関して、簡単で取り違えようなく且つコーディング可能な差込を保証することである。
【課題を解決するための手段】
【０００６】
この課題は、コネクタボディの各々において差込側にスリット開口部が設けられており、このスリット開口部内に面状に構成されているコーディングエレメントが挿入されており、スリット開口部の両側には電気的なコンタクトのための別の開口部が配置されていることにより解決される。
【発明を実施するための最良の形態】
【０００７】
本発明の有利な実施形態は請求項２から６に記載されている。
【０００８】
殊に本発明により達成される利点は、直線状、垂直、水平、斜め、曲線状の線の案内を用いる比較的簡単な構成により、原理的には、コネクタボディに挿入され相互に接続されるべき２つのコネクタの相互的に差込可能なコーディングエレメントに関して任意の数のコーディング構造が許容されることである。このために、電気的なコンタクトを収容するコネクタボディには差込側においてスリット開口部が設けられており、このスリット開口部に有利には面状に構成されているコーディングエレメントが挿入および係止されている。有利には、コーディングエレメントの外側縁部が差込過程の際に正しく突き合わされる。
【０００９】
スリット開口部の上側および下側には電気的なコンタクトが信号コンタクトと電流／電圧コンタクトに応じて別れて配置されている。付加的な空隙を有する拡大された間隔は好適な信号分離に寄与する。
【００１０】
ディスク状のコーディングエレメントよりも僅かに大きく形成されているスリット開口部には貫通通路が設けられており、この貫通通路を介してコーディングエレメントに成形されている係止フックが案内されており、これらの係止フックをそれぞれのコネクタボディのケーブル端子側における係止縁部に係止することができる。係止されたコーディングエレメントをスリット開口部から再び取り外すか、交換することができる。
【００１１】
コーディングエレメントを保護するために、コネクタボディから突出しているコーディングエレメントの差込コンタクトおよびコーディング構造はコネクタボディを囲む相応に構成された金属性の遮蔽スリーブによって保護されている。遮蔽スリーブ内にはＶ字型の溝が成形されており、この溝が先ず差込過程の際の２つのコネクタの正確な差込位置を保証し、他方では補完されたコーディングエレメントが複数の考えられる差込接続においてこれら２つのコネクタを適切に組み合わせられることを保証する。
【実施例】
【００１２】
図１は、いわゆるプッシュプルの原理に従い構成されているコネクタ１の側面図を示す。電気的なコンタクト２８，２９を包囲する遮蔽スリーブ１６の一部が破断されて示されているので、本発明によるコーディングエレメント２０の先端が見て取れる。ここでは信号コンタクト２９は見て取れない。摺動可能な外側スリーブ２内では遮蔽スリーブ１６がコネクタボディ１０上に配置されており、このコネクタボディ１０は電気的なコンタクトを収容する。
【００１３】
図２には、コネクタ１に適合されている対応コネクタ５が等尺的に示されており、この対応コネクタ５のコネクタボディ１０はフランジケーシング６内に配置されている。コネクタボディ１０内には隣接して配置されている３つの電気的なコネクタ２８が電流／電圧伝達のために設けられており、また４つの別の信号コンタクト２９が設けられており、これらの信号コンタクト２９は対になって拡大された中央の間隔によって分けられていることが見て取れる。コンタクトはコネクタボディ１０，１０’における開口部２６および２７内に配置されている。異なる構成の電気的なコンタクトの間には差込側においてスリット開口部１２が設けられており、このスリット開口部１２は面状のコーディングエレメント２０を収容するために設けられている。
【００１４】
絶縁された矩形のコネクタボディ１０は遮蔽スリーブ１６によって包囲されており、Ｖ字形の中央の溝１８内のシーム個所は対になって配置されている信号コンタクト２９間に延びている。溝は２つのコネクタ１，５の適切な差込に関する極性付けのために設けられている。裏面側では電気的なコンタクトが回路基板８と接続されている。コーディングエレメント２０は差込側において異なる幾何学形状を有することができる。水平および垂直に配置されている簡単な外側縁部が考えられ、また斜めおよび曲線のような形状も考えられる。コーディングのために設けられている外側縁部が差込過程の際に、２つのコネクタ１および５の誤差込を阻止するために正しく突き合わされることのみが重要である。
【００１５】
図３におけるコーディングエレメントの平面でのコネクタボディ１０の断面図には、周囲を囲むフランジケーシングがないコネクタ５を例にしたコーディングエレメント２０の位置および固定が示されている。コーディングエレメント２０はそれぞれ差込側のスリット開口部１２に差し込まれ、コネクタボディ１０内において係止フック２４を用いて係止されており、コーディング構造２２は部分的にコネクタボディから突出している。さらにコネクタボディ１０内にはコーディングエレメント２０のためのスリット開口部１２の他に、２つの係止フック２４のための貫通通路１３がそれぞれ１つずつ設けられている。接続側においては、すなわち回路基板８に向かって、もしくは一般的にコネクタ１の接続すべき電気ケーブルにおいても、貫通通路１３の端部がそれぞれ係止縁部１５を有し、この係止縁部１５にコーディングエレメント２０の係止フック２４が係止される。係止縁部１５は裏面側のコネクタボディの凹欠された切り欠き部１４においてこのように成形されているので、係止縁部１５は最小限にしかケーシングの端部から突き出ていない。
【００１６】
コネクタがまだ回路基板８上にはんだ付けされていない限りは、係止フック２４が互いに押しつけられ、コーディングエレメントが貫通通路１３およびスリット開口部１２から引き抜かれることによりコーディングエレメント２０を交換することができる。通常の場合フランジケーシング６と共に構成されているコネクタ２の裏面には回路基板８が設けられており、この回路基板８上には遮蔽スリーブ１６の電流／電圧コンタクト２８、信号コンタクト２９および端子ピン１７がはんだ付けされている。回路基板８における取り付けのためにコネクタボディ１０には付加的に取り付けピン１９が設けられており、この取り付けピン１９は対応する孔に差し込まれ、はんだ付けが終わるまでコネクタボディを回路基板と結合させる。
【００１７】
図４は、フランジケーシング６内のプッシュプル型のコネクタ１と対応コネクタ５との間の差込接続を示し、ここではコネクタ２およびコネクタ１内の２つのコーディングエレメント２０および２０’のコーディングのみが基準的に示されている。コーディング構造２２，２２’がほぼ中央においてそれぞれのコネクタボディ１０，１０’から突出しており、またそれぞれ対向して配置されている部分に突入されていることが見て取れる。
【００１８】
図５には、係止フック２４，２４’が成形されており、対になって接合可能なコーディングエレメント２０，２０’に関する幾つかの面状の実施例が示されており、これらのコーディングエレメントは直線状、垂直、水平、斜めおよび曲線状の線の案内により原理的には任意の数の適合されたコーディング構造２２，２２’を有することができる。
【図面の簡単な説明】
【００１９】
【図１】コネクタの側面図を示す。
【図２】フランジケーシングとして構成されているコネクタを示す。
【図３】フランジケーシング内のコネクタの断面図を示す。
【図４】図１および図２の２つのコネクタが差し込まれて接続されている状態の断面図を示す。
【図５】コーディングエレメントの複数のヴァリエーションを示す。
【符号の説明】
【００２０】
１，５  コネクタ、  ２  外側スリーブ、  ６  フランジケーシング、  ８  回路基板、  １０，１０’  コネクタボディ、  １２  スリット開口部、  １３  貫通通路、  １４  切り欠き部、  １５  係止縁部、  １６  遮蔽スリーブ、  １７  端子ピン、  １８  溝、  １９  取り付けピン、  ２０，２０’  コーディングエレメント、  ２２，２２’  コーディング構造、  ２４，２４’  係止フック、  ２６  電流／電圧コンタクト用の開口部、  ２７  信号コンタクト用の開口部、  ２８  電流／電圧コンタクト、  ２９  信号コンタクト
【図１】
2008198613.tif 000003
【図２】
2008198613.tif 000004
【図３】
2008198613.tif 000005
【図４】
2008198613.tif 000006
【図５】
2008198613.tif 000007